(57)【要約】【課題】部品点数を増加させることなく、必要に応じて子供の背中と背もたれ部との間に滞留する熱気や湿気を取り除くことのできる育児器具の座席を提供する。【解決手段】背もたれ部３には、ベルト案内用貫通穴４および通気用開口５が設けられている。背もたれ部３の背面には、ベルト案内用貫通穴を覆って隠すためのカバー部材１０が回動可能に取り付けられている。カバー部材１０は、通気用貫通穴１１を有する。カバー部材１０が第１の位置にあるとき、背もたれ部３の通気用開口５とカバー部材１０の通気用貫通穴１１とが整列する。カバー部材１０が第２の位置にあるとき、背もたれ部３の通気用開口５とカバー部材１０の通気用貫通穴１１とが非整列状態になり、通気路を遮断する。【選択図】        図４
2004359053.tif 000002
【特許請求の範囲】
【請求項１】
座部と、肩ベルトを前後に通過させるベルト案内用貫通穴を有する背もたれ部とを備えた育児器具の座席において、
前記背もたれ部には、通気のための通気用開口が設けられており、
前記背もたれ部の背面には、前記ベルト案内用貫通穴を覆うカバー部材が第１の位置と第２の位置との間を変位可能に取り付けられており、
前記カバー部材は、通気のための通気用貫通穴を有しており、
前記カバー部材が前記第１の位置にあるとき、前記背もたれ部の通気用開口と前記カバー部材の通気用貫通穴とが整列し、前記カバー部材が前記第２の位置にあるとき、前記背もたれ部の通気用開口と前記カバー部材の通気用貫通穴とが非整列状態になり通気路を遮断していることを特徴とする、育児器具の座席。
【請求項２】
前記カバー部材の両側部には、側方に張り出して延びる１対の操作部が設けられており、この１対の操作部を手で掴んで前記カバー部材を変位させる、請求項１に記載の育児器具の座席。
【請求項３】
前記カバー部材は、その下端部が前記背もたれ部に回動可能に連結されており、
前記カバー部材は、前記背もたれ部の背面に沿って位置している状態で、前記第１の位置と前記第２の位置との間を変位可能に設けられている、請求項１または２に記載の育児器具の座席。
【請求項４】
座部と、肩ベルトを前後に通過させるベルト案内用貫通穴を有する背もたれ部とを備えた育児器具の座席において、
前記背もたれ部の背面には、前記ベルト案内用貫通穴を覆うカバー部材が開閉可能に取り付けられていることを特徴とする、育児器具の座席。
【発明の詳細な説明】
【０００１】
【発明の属する技術分野】
この発明は、育児器具の座席に関し、特に背もたれ部に肩ベルトを前後に通過させるベルト案内用貫通穴を設けている育児器具の座席に関するものである。
【０００２】
【従来の技術】
背もたれ部にベルト案内用貫通穴を有する育児器具として、例えば、チャイルドシートや乳母車等がある。
【０００３】
これらのチャイルドシートや乳母車では、肩ベルトを含むシートベルトによって座席に着座した子供の身体を拘束している。通常、肩ベルトの高さを成長する子供の身体に適合できるようにするために、背もたれ部にはベルト案内用貫通穴が上下方向に複数個設けられている。
【０００４】
背面側から見た育児器具座席の美観を損ねないようにするために、背もたれ部にベルト案内用貫通穴を覆うカバー部材を設けるのが望ましい。
【０００５】
育児器具の座席において要求されることは、座席に着座した子供に対して快適な環境を与えるようにすることである。
【０００６】
【発明が解決しようとする課題】
シートベルトによって身体を拘束された子供の背中は、常に座席の背もたれ部に接するか近接している。そのため、子供の背中と座席の背もたれ部との間に、熱気や湿気が滞留し易い。この熱気や湿気は、子供に不快感を与え、極端な場合には、子供の健康に悪影響を及ぼす。
【０００７】
背もたれ部に通気のための開口を設けておけば、熱気や湿気の滞留を防ぐことができる。しかし、風の強いときや、寒い季節には、その開口から強風や冷気が座席内に入り込むので、開口を開けっ放しにしておくのは好ましくない。
【０００８】
通気用開口を開閉可能にするための部材を特別に設けることも考えられるが、そのようにすれば部品点数が増加しコスト高を招く。
【０００９】
この発明の目的は、部品点数を増加させることなく、必要に応じて子供の背中と背もたれ部との間に滞留する熱気や湿気を取り除くことのできる育児器具の座席を提供することである。
【００１０】
この発明の他の目的は、背面側から見た育児器具の座席の美観を損ねないようにすることである。
【００１１】
【課題を解決するための手段】
この発明は、座部と、肩ベルトを前後に通過させるベルト案内用貫通穴を有する背もたれ部とを備えた育児器具の座席を前提とし、次のことを特徴とする。
【００１２】
すなわち、背もたれ部には、通気のための通気用開口が設けられている。背もたれ部の背面には、ベルト案内用貫通穴を覆うカバー部材が第１の位置と第２の位置との間を変位可能に取り付けられている。このカバー部材は、通気のための通気用貫通穴を有している。カバー部材が第１の位置にあるとき、背もたれ部の通気用開口とカバー部材の通気用貫通穴とが整列し、カバー部材が第２の位置にあるとき、背もたれ部の通気用開口とカバー部材の通気用貫通穴とが非整列状態になり通気路を遮断している。
【００１３】
上記構成の本発明によれば、ベルト案内用貫通穴を覆うためのカバー部材に通気用開口を開閉するための機能を持たせたので、部品点数を増加することなく快適な環境を与え得る育児器具の座席を提供できる。
【００１４】
カバー部材の移動操作を容易に行なえるようにするために、一つの実施形態では、カバー部材の両側部に、側方に張り出して延びる１対の操作部を設けている。この実施形態では、この１対の操作部を手で掴んでカバー部材を変位させる。
【００１５】
また、一つの実施形態では、カバー部材は、その下端部が背もたれ部に回動可能に連結されている。このカバー部材は、背もたれ部の背面に沿って位置している状態で、第１の位置と第２の位置との間を変位可能に設けられている。
【００１６】
この発明の他の局面において、育児器具の座席は、背面側から見た美観を損ねないようにするために、背もたれ部の背面に、ベルト案内用貫通穴を覆うカバー部材を開閉可能に取り付けている。
【００１７】
【発明の実施の形態】
この発明は、肩ベルト案内用貫通穴を有する背もたれ部を備えた育児器具に適用される。そのような育児器具として、チャイルドシート、乳母車、ベビーラック等があるが、以下の説明では、例示的にチャイルドシートについて説明する。
【００１８】
図１は、この発明の一実施形態であるチャイルドシートを示す斜視図であり、図２は、その背面図である。チャイルドシート１は、座部２と、この座部２の後方端から立ち上がって延びている背もたれ部３とを備える。背もたれ部３は、リクライニング調節可能に設けられており、最大後傾角度ではほぼ水平状態になり、チャイルドシート１をベッド状の形態にする。図１は、椅子状の形態となっているチャイルドシート１を示している。
【００１９】
チャイルドシート１は、図示を省略しているが、子供の身体を拘束するための５点式シートベルトを備えている。５点式シートベルトは、股ベルト部と、腰ベルト部と、肩ベルト部とを含む。図１から明らかなように、チャイルドシート１の背もたれ部３には、肩ベルトを前後に通過させるためのベルト案内用貫通穴４を有する。
【００２０】
子供の身体の成長に伴って肩ベルトの高さを変更できるようにするために、ベルト案内用貫通穴４は、上下方向に複数個設けられている。図示した実施形態では、上下方向に５個並んだ貫通穴４が２列設けられている。２列あるのは、左右の肩ベルト用である。
【００２１】
図１に示すように、チャイルドシート１の背もたれ部３には、ベルト案内用貫通穴４の近くで上下方向に複数個並んだ通気用開口５が設けられている。この通気用開口５も、左右の領域に各々１列設けられている。
【００２２】
図２および図３に示すように、チャイルドシート１の背もたれ部３の背面には、ベルト案内用貫通穴４を覆うカバー部材１０が第１の位置（図２に示す状態）と第２の位置（図３に示す状態）との間を変位可能に設けられている。図示した実施形態では、カバー部材１０は、背もたれ部３の背面に沿って上下方向に位置変更可能になっている。図２に示す第１の位置では、カバー部材１０は下方の位置にあり、図３に示す第２の位置では、カバー部材１０は上方の位置にある。
【００２３】
カバー部材１０の上下位置の変更を容易に行なうようにするために、カバー部材１０の両側部には、側方に張り出して延びている１対の操作部１２が設けられている。カバー部材１０の上下位置を変更しようとするときには、１対の操作部１２を手で掴んで操作する。
【００２４】
図２および図３から明らかなように、カバー部材１０には、通気のための通気用貫通穴１１が設けられている。通気用貫通穴１１は、背もたれ部３の通気用開口５に対応して、左右の領域にそれぞれ上下方向に４個並んでいる。
【００２５】
詳しい構造については後述するが、カバー部材１０が図２に示す第１の位置（下方位置）にあるとき、背もたれ部３の通気用開口５とカバー部材１０の通気用貫通穴１１とが整列する。この状態を図１０（ａ）に示す。この整列状態では、背もたれ部３に貫通した通気路が形成されるので、着座した子供の背中と背もたれ部３との間に滞留する熱気や湿気を取り除くことができる。
【００２６】
カバー部材１０が図３に示す第２の位置（上方位置）にあるとき、背もたれ部３の通気用開口５とカバー部材１０の通気用貫通穴１１とは非整列状態になる。この状態を図１０（ｂ）に示す。この非整列状態では、背もたれ部３の通気路は遮断されるので、冷気等が座席内に入り込むのを防止することができる。
【００２７】
次に、チャイルドシート１の背もたれ部３とカバー部材１０との接続構造を詳しく説明する。
【００２８】
カバー部材１０は、その下端部が背もたれ部３に回動可能に連結されている。図４および図５は、カバー部材１０が後方に倒されている状態を示している。肩ベルトの高さを変更するとき、カバー部材１０をこれらの図に示すように後方に倒し、背もたれ部３のベルト案内用貫通穴を露出させる。
【００２９】
図５および図７に示すように、カバー部材１０の下方端部分には、上下方向に長い長孔１３が形成されている。これに対応して、背もたれ部３には、カバー部材１０の長孔１３内に位置する支持軸６が設けられる。図７（ａ）は、カバー部材１０が第２の位置（上方位置）にある状態を示している。図７（ｂ）は、カバー部材１０が後方に倒されている状態を示している。図７（ｃ）は、カバー部材１０が第１の位置（下方位置）にある状態を示している。
【００３０】
図４および図５に示すように、カバー部材１０の両側部には、外側方に向かって突出している係合軸１４および背もたれ部３側に向かって突出している係合突起１５が設けられている。
【００３１】
チャイルドシート１の背もたれ部３には、図６に示すように、カバー部材１０の係合軸１４および係合突起１５に対応して、長孔７および係合帯８が設けられている。なお、カバー部材１０は、力を加えれば容易に撓み弾性変形する樹脂材料によって形成されている。
【００３２】
図８は、カバー部材１０の係合軸１４が背もたれ部３の長孔７内に入っている状態を示している。図８（ａ）に示す状態では、カバー部材１０の係合軸１４が第１の位置（下方位置）にあり、図８（ｂ）に示す状態では、カバー部材１０の係合軸１４が第２の位置（上方位置）にある。
【００３３】
図９は、カバー部材１０の係合突起１５と、背もたれ部３の係合帯８とが、異なった位置関係で係合している状態を示している。係合帯８は、上下方向に離れて位置する２個の係合凹部８ａ，８ｂを有する。係合帯８は、ある程度の弾力性を有する。
【００３４】
図８（ａ）および図９（ａ）は、カバー部材１０が第１の位置（下方位置）にある状態を示し、図８（ｂ）および図９（ｂ）は、カバー部材１０が第２の位置（上方位置）にある状態を示している。カバー部材１０が第１の位置にあるとき、カバー部材１０の係合突起１５は下方に位置する一方の係合凹部８ｂに係合する。したがって、カバー部材１０の位置が固定される。
【００３５】
図９（ａ）に示す状態から、カバー部材１０の１対の操作部１２を手で掴んで上方に動かすと、カバー部材１０の係合突起１５が２個の係合凹部間にある山を乗り越えて上方に位置する他方の係合凹部８ａに係合する。こうして、カバー部材１０の位置が固定される。
【００３６】
以上説明したように、図示した実施形態では、背もたれ部３のベルト案内用貫通穴４を覆って隠すためのカバー部材１０に、背もたれ部３の通気用開口５を開閉するための機能を持たせたので、少ない部品点数で快適な座席環境を与えることができる。
【００３７】
また、背もたれ部の背面に、ベルト案内用貫通穴を覆うカバー部材を開閉可能に取付けているので、背面側から見た美観を損ねない。美観を損ねないという観点だけに注目するのであれば、カバー部材に必ずしも通気用貫通穴を設けなくてもよい。
【００３８】
なお、図示した実施形態は例示的なものであるので、この発明と同一の範囲内、または均等の範囲内において、図示した実施形態に対して種々の修正や変形を加えることが可能である。
【図面の簡単な説明】
【図１】この発明の一実施形態を示す斜視図である。
【図２】図１に示すチャイルドシートの背面図である。
【図３】図１に示す状態から、カバー部材を上方に動かした状態を示している。
【図４】図３に示す状態から、カバー部材を後方に倒した状態を示している。
【図５】カバー部材の下端部と背もたれ部との連結部分を示す斜視図である。
【図６】背もたれ部３の一部を拡大して示す図である。
【図７】カバー部材の下端部と背もたれ部との連結部分を図解的に示す図である。
【図８】カバー部材の上方端部分と背もたれ部との連結部分を図解的に示す図である。
【図９】カバー部材の係合突起と背もたれ部の係合帯との係合状態を図解的に示す図である。
【図１０】カバー部材の通気用貫通孔と背もたれ部３の通気用開口との整列および非整列状態を図解的に示す図である。
【符号の説明】
１  チャイルドシート、２  座部、３  背もたれ部、４  ベルト案内用貫通穴、５  通気用開口、６  支持軸、７  長孔、８  係合帯、８ａ，８ｂ  係合凹部、１０  カバー部材、１１  通気用貫通穴、１２  操作部、１３  長孔、１４  係合軸、１５  係合突起。
【図１】
2004359053.tif 000003
【図２】
2004359053.tif 000004
【図３】
2004359053.tif 000005
【図４】
2004359053.tif 000006
【図５】
2004359053.tif 000007
【図６】
2004359053.tif 000008
【図７】
2004359053.tif 000009
【図８】
2004359053.tif 000010
【図９】
2004359053.tif 000011
【図１０】
2004359053.tif 000012